【手続補正書】
【提出日】平成17年9月29日(2005.9.29)
【手続補正１】
【補正対象書類名】明細書
【補正対象項目名】特許請求の範囲
【補正方法】変更
【補正の内容】
【特許請求の範囲】
【請求項１】  遊技者の遊技に関する遊技情報を取扱う遊技用装置であって、
遊技者に所持される情報記録媒体に記録された前記遊技者に関する特定を行なうことが可能な特定用情報に基づいて、遊技場に設けられた遊技機での遊技に関する遊技情報を収集する遊技情報収集手段と、
該遊技情報収集手段が収集した遊技情報を前記特定用情報別でかつ遊技場別に集計する遊技情報集計手段と、
該遊技情報集計手段によって集計されている遊技情報を遊技者に表示するために遊技場に設けられる遊技情報表示処理装置とを含み、
該遊技情報表示処理装置は、
前記情報記録媒体の記録情報を読取る記録情報読取手段と、
前記遊技情報集計手段に対して前記遊技情報の送信を要求する手段であって、複数の遊技場のうちのいずれの遊技場の遊技情報の送信を要求するかを示す送信対象情報と、前記遊技情報の送信を要求する遊技情報表示処理装置が設けられた遊技場を示す送信要求元情報と、前記記録情報読取手段により読み取られた情報記録媒体の記録情報として記録されている特定用情報とを含む要求情報を前記遊技情報集計手段へ出力する要求情報送信手段と、
該要求情報送信手段の要求に応じて前記遊技情報集計手段から送信された遊技情報を表示する遊技情報表示手段とを含み、
前記遊技情報集計手段は、
前記要求情報に含まれる前記特定用情報および前記送信対象情報に対応する遊技情報を呼び出す呼出手段と、
該呼出手段が呼び出した遊技情報を前記要求情報の送信元の遊技情報表示処理装置へ送信する送信処理手段とを含むことを特徴とする、遊技用装置。
【請求項２】  前記遊技情報表示処理装置は、いずれの遊技場の遊技情報の送信を要求するかの選択操作が可能な操作部をさらに含み、
前記遊技情報集計手段は、前記要求情報に含まれる前記送信対象情報および前記送信要求元情報と、送信を許可するか否かを決定するための各遊技場間対応テーブルとを比較して、前記遊技情報の送信要求を許可するか否かを決定する送信規制制御手段をさらに含み、
前記呼出手段は、前記送信規制制御手段が前記遊技情報の送信要求を許可することを決定したときに前記要求情報に含まれる前記特定用情報および前記送信対象情報に対応する遊技情報を呼び出すことを特徴とする、請求項１に記載の遊技用装置。
【手続補正２】
【補正対象書類名】明細書
【補正対象項目名】０００６
【補正方法】変更
【補正の内容】
【０００６】
【課題を解決するための手段】
請求項１に記載の本発明は、遊技者の遊技に関する遊技情報を取扱う遊技用装置であって、
遊技者に所持される情報記録媒体に記録された前記遊技者に関する特定を行なうことが可能な特定用情報に基づいて、遊技場に設けられた遊技機での遊技に関する遊技情報を収集する遊技情報収集手段と、
該遊技情報収集手段が収集した遊技情報を前記特定用情報別でかつ遊技場別に集計する遊技情報集計手段と、
該遊技情報集計手段によって集計されている遊技情報を遊技者に表示するために遊技場に設けられる遊技情報表示処理装置とを含み、
該遊技情報表示処理装置は、
前記情報記録媒体の記録情報を読取る記録情報読取手段と、
前記遊技情報集計手段に対して前記遊技情報の送信を要求する手段であって、複数の遊技場のうちのいずれの遊技場の遊技情報の送信を要求するかを示す送信対象情報と、前記遊技情報の送信を要求する遊技情報表示処理装置が設けられた遊技場を示す送信要求元情報と、前記記録情報読取手段により読み取られた情報記録媒体の記録情報として記録されている特定用情報とを含む要求情報を前記遊技情報集計手段へ出力する要求情報送信手段と、
該要求情報送信手段の要求に応じて前記遊技情報集計手段から送信された遊技情報を表示する遊技情報表示手段とを含み、
前記遊技情報集計手段は、
前記要求情報に含まれる前記特定用情報および前記送信対象情報に対応する遊技情報を呼び出す呼出手段と、
該呼出手段が呼び出した遊技情報を前記要求情報の送信元の遊技情報表示処理装置へ送信する送信処理手段とを含むことを特徴とする。
【手続補正３】
【補正対象書類名】明細書
【補正対象項目名】０００７
【補正方法】変更
【補正の内容】
【０００７】
請求項２に記載の本発明は、請求項１に記載の発明の構成に加えて、前記遊技情報表示処理装置は、いずれの遊技場の遊技情報の送信を要求するかの選択操作が可能な操作部をさらに含み、
前記遊技情報集計手段は、前記要求情報に含まれる前記送信対象情報および前記送信要求元情報と、送信を許可するか否かを決定するための各遊技場間対応テーブルとを比較して、前記遊技情報の送信要求を許可するか否かを決定する送信規制制御手段をさらに含み、
前記呼出手段は、前記送信規制制御手段が前記遊技情報の送信要求を許可することを決定したときに前記要求情報に含まれる前記特定用情報および前記送信対象情報に対応する遊技情報を呼び出すことを特徴とする。
【手続補正４】
【補正対象書類名】明細書
【補正対象項目名】０００８
【補正方法】変更
【補正の内容】
【０００８】
【作用】
請求項１に記載の本発明によれば、遊技情報収集手段の働きにより、遊技者に所持される情報記録媒体に記録された前記遊技者に関する特定を行なうことが可能な特定用情報に基づいて、遊技場に設けられた遊技機での遊技に関する遊技情報が収集される。遊技情報集計手段の働きにより、前記遊技情報収集手段が収集した遊技情報が前記特定用情報別でかつ遊技場別に集計される。記録情報読取手段の働きにより、前記情報記録媒体の記録情報が読取られる。要求情報送信手段の働きにより、複数の遊技場のうちのいずれの遊技場の遊技情報の送信を要求するかを示す送信対象情報と、前記遊技情報の送信を要求する遊技情報表示処理装置が設けられた遊技場を示す送信要求元情報と、前記記録情報読取手段により読み取られた情報記録媒体の記録情報として記録されている特定用情報とを含む要求情報が前記遊技情報集計手段へ出力されて前記遊技情報の送信要求がなされる。呼出手段の働きにより、前記要求情報に含まれる前記特定用情報および前記送信対象情報に対応する遊技情報が呼び出される。送信処理手段の働きにより、前記呼出手段が呼び出した遊技情報が前記要求情報の送信元の遊技情報表示処理装置へ送信される。遊技場に設けられる遊技情報表示処理装置が含む遊技情報表示手段の働きにより、前記要求情報送信手段の要求に応じて前記遊技情報集計手段から送信された遊技情報が表示される。
【手続補正５】
【補正対象書類名】明細書
【補正対象項目名】０００９
【補正方法】変更
【補正の内容】
【０００９】
請求項２に記載の本発明によれば、請求項１に記載の発明の作用に加えて、操作部の働きにより、いずれの遊技場の遊技情報の送信を要求するかの選択操作が可能とされる。送信規制制御手段の働きにより、前記要求情報に含まれる前記送信対象情報および前記送信要求元情報と、送信を許可するか否かを決定するための各遊技場間対応テーブルとが比較されて、前記遊技情報の送信要求を許可するか否かが決定される。前記呼出手段の働きにより、前記送信規制制御手段が前記遊技情報の送信要求を許可することを決定したときに前記要求情報に含まれる前記特定用情報および前記送信対象情報に対応する遊技情報が呼び出される。
【手続補正６】
【補正対象書類名】明細書
【補正対象項目名】００６７
【補正方法】変更
【補正の内容】
【００６７】
【課題を解決するための手段の具体例の効果】
請求項１に関しては、前記遊技情報集計手段により集計された前記特定用情報により特定される遊技者の前記遊技情報を当該遊技者に表示可能であるために、遊技者に対するサービスの向上を図ることが可能となるとともに遊技者自らが自己の遊技情報管理のために前記遊技情報の収集に積極的に関与することが期待され、これにより遊技者毎の遊技情報が速やかに集計される。
請求項２に関しては、請求項１に関する効果に加えて、遊技場と所定の関係にある他の遊技場における前記遊技情報を遊技者が入手するためにわざわざ前記他の遊技場に出向く手間が省け、これにより、遊技者に対する一層のサービスの向上を図ることができる。